(57)【要約】【課題】外部から到来する妨害波を良好に検出できるようにする。【解決手段】伝送信号を受信する複数の受信回路と、複数の受信回路のそれぞれに局部発振信号を供給する複数の局部発振回路と、複数の受信回路での選局を制御する制御部とを備える。制御部は、複数の受信回路の内の少なくとも１つの受信回路が伝送信号の受信に使用していない場合に、その使用していない受信回路で、妨害波の探索を行う。【選択図】図３
2014179847.tif 000002
【特許請求の範囲】
【請求項１】
伝送信号を受信する複数の受信回路と、
前記複数の受信回路のそれぞれに局部発振信号を供給する複数の局部発振回路と、
前記複数の受信回路での選局を制御すると共に、前記複数の受信回路の内の少なくとも１つの受信回路が前記伝送信号の受信に使用していない場合に、その使用していない受信回路で、妨害波の探索を行う制御部とを備えた
受信装置。
【請求項２】
前記制御部が探索した妨害波の周波数を記憶し、前記制御部が、いずれかの受信回路で伝送信号の探索を行う際に、前記妨害波の周波数を通過しない選局を行う
請求項１記載の受信装置。
【請求項３】
前記制御部は、選局時の探索アルゴリズムを変更して、前記妨害波の周波数を通過しない選局を行う
請求項２記載の受信装置。
【請求項４】
前記制御部は、周期的に前記妨害波の探索を行う
請求項１記載の受信装置。
【請求項５】
伝送信号を受信する複数の受信回路と、
前記複数の受信回路のそれぞれに局部発振信号を供給する複数の局部発振回路と、
前記複数の受信回路での選局を制御すると共に、前記複数の受信回路の内の少なくとも１つの受信回路が前記伝送信号の受信に使用していない場合に、その使用していない受信回路で、妨害波の探索を行う制御部と、
前記複数の受信回路で受信した信号を処理する処理部とを備えた
電子機器。
【発明の詳細な説明】
【技術分野】
【０００１】
本開示は、テレビジョン放送信号などの伝送信号を受信する受信装置、およびその受信装置を備えた電子機器に関する。
【背景技術】
【０００２】
近年、テレビジョン放送を受信する受信回路を有するテレビジョン受像機や録画装置として、複数の受信回路を備えたものが開発されている。例えば、複数の受信回路を備えたテレビジョン受像機は、表示画面上に複数のチャンネルの受信映像を同時に表示することができる。また、複数の受信回路を備えた録画装置は、複数のチャンネルの放送信号を同時に録画することができる。
【０００３】
図１１は、従来の複数の受信回路を備えた装置の例を示す図である。
アンテナ１で受信した信号が、第１チューナ部２と第２チューナ部３に供給される。第１，第２チューナ部２，３は、それぞれ個別に受信回路２ａ，３ａを備え、それぞれの受信回路２ａ，３ａが、特定のチャンネル（周波数）の放送信号を受信する。それぞれの受信回路２ａ，３ａが受信するチャンネルは、例えば装置内の図示しない制御部からの指示で決まる。
【０００４】
各受信回路２ａ，３ａは、放送信号を変換したベースバンド信号または中間周波信号を得る。このようなベースバンド信号または中間周波信号を得るために、受信回路２ａ，３ａ内のミキサ（不図示）で受信信号に混合するための周波数信号（局発周波数信号）が必要になる。このミキサで受信信号に混合される局発周波数信号は、それぞれのチューナ部２，３に内蔵された局部発振回路２ｃ，３ｃで得られる。
【０００５】
そして、それぞれの受信回路２ａ，３ａは、ベースバンド信号または中間周波信号の復調処理を行う。この復調処理で得られた映像信号および音声信号が、受信回路２ａ，３ａの出力端子２ｂ，３ｂに得られる。
特許文献１には、複数の受信回路を備えたシステムにおいて、使用しない受信回路の動作を停止させて、妨害波の発生を防ぐ技術についての記載がある。
【先行技術文献】
【特許文献】
【０００６】
【特許文献１】特開２００９−１８８５１５号公報
【発明の概要】
【発明が解決しようとする課題】
【０００７】
ところで、チューナ部で受信を行う際には、外部からの妨害波の影響を受けずに受信を行うことが好ましい。このため、例えばチューナ部を構成する回路部品を、シールドケース内に納めるなどの対処が従来から行われているが、完全に妨害波の到来を防ぐことは困難である。
特に近年は、無線ＬＡＮ（Local Area Network）用の通信機器などの、比較的高い周波数を扱う様々な規格の無線機器が普及している。このため、テレビジョン放送信号用のチューナ部に接続された局発信号生成用の発振回路が扱う周波数信号とほぼ同じ周波数の信号が受信装置の外部から到来して、受信装置の受信性能を悪化させる懸念が高くなっている。
【０００８】
本開示の目的は、外部から到来する妨害波を良好に検出できる受信装置および電子機器を提供することにある。
【課題を解決するための手段】
【０００９】
本開示の受信装置は、伝送信号を受信する複数の受信回路と、複数の受信回路のそれぞれに局部発振信号を供給する複数の局部発振回路と、複数の受信回路での選局を制御する制御部とを備える。
制御部は、複数の受信回路の内の少なくとも１つの受信回路が伝送信号の受信に使用していない場合に、その使用していない受信回路で、妨害波の探索を行う。
【００１０】
本開示の電子機器は、伝送信号を受信する複数の受信回路と、複数の受信回路のそれぞれに局部発振信号を供給する複数の局部発振回路と、複数の受信回路での選局を制御する制御部と、受信信号の処理部とを備える。
制御部は、複数の受信回路の内の少なくとも１つの受信回路が伝送信号の受信に使用していない場合に、その使用していない受信回路で、妨害波の探索を行う。
【００１１】
本開示によると、複数用意した受信回路の内の１つの受信回路が伝送信号の受信をしていない状況のとき、その使用していない受信回路が妨害波の探索を行うようになる。
【発明の効果】
【００１２】
本開示によると、複数用意した受信回路の内の使用していない受信回路で妨害波の探索を行うため、妨害波探索専用の回路を必要としない簡単な構成で、周囲の妨害波の探索を良好に行うことができる。
【図面の簡単な説明】
【００１３】
【図１】本開示の一実施の形態による構成例を示すブロック図である。
【図２】本開示の一実施の形態の受信回路の例を示すブロック図である。
【図３】本開示の一実施の形態による妨害波のサーチ処理例を示すフローチャートである。
【図４】本開示の一実施の形態による選局処理例を示すフローチャートである。
【図５】本開示の一実施の形態による探索アルゴリズム１の例を示すフローチャートである。
【図６】本開示の一実施の形態による探索アルゴリズム１の処理例を示す特性図である。
【図７】本開示の一実施の形態による探索アルゴリズム２の例を示すフローチャートである。
【図８】本開示の一実施の形態による探索アルゴリズム２の処理例を示す特性図である。
【図９】本開示の一実施の形態による探索アルゴリズム３の例を示すフローチャートである。
【図１０】本開示の一実施の形態による探索アルゴリズム３の処理例を示す特性図である。
【図１１】従来の受信装置の例を示す回路図である。
【発明を実施するための形態】
【００１４】
本開示の実施の形態に係る受信装置および電子機器の例を、図面を参照しながら、以下の順で説明する。
１．受信装置の構成例（図１〜図２）
２．妨害波のサーチ処理例（図３）
３．選局処理例（図４）
４．探索アルゴリズムの各例（図５〜図１０）
５．変形例
【００１５】
［１．受信装置の構成例］
図１は、本開示の一実施の形態の例に係る受信装置の構成例を示す図である。
本開示の受信装置は、テレビジョン放送信号を受信する装置であり、複数（この例では８個）のチューナ部１０，２０，３０，４０，５０，６０，７０，８０を備える。アンテナ９４で受信した信号が、これらのチューナ部１０〜８０に供給される。
各チューナ部１０〜８０は、所定の配列で基板上などに配置する。図１の例では、８個のチューナ部１０〜８０が、横方向に４個ずつ並べると共に縦方向に２列配置した例を示すが、この配置は一例であり、その他の配列でもよい。例えば、８個のチューナ部１０〜８０を一列に配置してもよい。
【００１６】
それぞれのチューナ部１０〜８０は、それぞれ個別に受信回路１１，２１，３１，４１，５１，６１，７１，８１を備え、それぞれの受信回路１１〜８１が、特定のチャンネル（周波数）の伝送信号（放送信号）を受信する。各受信回路１１〜８１が受信する周波数は、各チューナ部１０〜８０が備える局部発振回路１２，２２，３２，４２，５２，６２，７２，８２から供給される局部発振信号により設定される。各受信回路１１〜８１が受信する周波数は、制御部９１からの指示で決まる。各局部発振回路１２〜８２での局部発振信号の生成状態についても、制御部９１からの指示で決まる。制御部９１は、バスライン９９を介して各チューナ部１０〜８０と通信が可能である。
【００１７】
制御部９１は、例えば操作部９３から特定のチャンネルの選局指示が届いたとき、チューナ部１０〜８０の中の特定の１つのチューナ部（例えば第１チューナ部１０）に、該当するチャンネルの受信指示を行う。このとき、制御部９１が、メモリ９２に記憶された複数の探索アルゴリズムの中から選択した１つの探索アルゴリズムで、受信チャンネルが伝送される周波数を探索する。なお、複数の探索アルゴリズムの詳細については後述する。
【００１８】
各受信回路１１〜８１は、受信処理により、放送信号を周波数変換したベースバンド信号または中間周波信号を取得する。そして、それぞれの受信回路１１〜８１に接続された復調回路１３，２３，３３，４３，５３．６３，７３，８３が、ベースバンド信号または中間周波信号の復調処理を行う。この復調回路１３〜８３での復調処理で得られた映像信号および音声信号が、各チューナ部１０〜８０からテレビジョン信号処理部９５に供給される。
【００１９】
テレビジョン信号処理部９５で処理された映像信号や音声信号は、録画部９６に供給され録画される。また、テレビジョン信号処理部９５で処理された映像信号は、表示部９７に供給され表示される。例えば録画部９６が８つの異なるチャンネルを同時に録画する場合には、制御部９１からの指示で、８つのチューナ部１０〜８０がそれぞれ指示されたチャンネルの受信動作を行う。同時に受信するチャンネル数に応じて、制御部９１は、受信動作を行う必要のないチューナ部（チューナ部１０〜８０のいずれか）の受信動作を停止させる。
８つのチューナ部１０〜８０は、それぞれ個別に集積回路化され、所定の配列で回路基板上に配置される。あるいは、８つのチューナ部１０〜８０が、１つの集積回路になるようにしてもよい。本実施の形態の例では、８つのチューナ部１０〜８０が受信する周波数帯は全て同じである。
なお、図１の例では、各チューナ部１０〜８０が受信信号の復調処理を行うようにしたが、各チューナ部１０〜８０は、復調処理を行わない構成でもよい。すなわち、各チューナ部１０〜８０がベースバンド信号または中間周波信号を出力して、チューナ部１０〜８０の後段に接続される処理部が、復調処理を行うようにしてもよい。
【００２０】
図２は、第１チューナ部１０の構成の例を示す図である。第２チューナ部２０〜第８チューナ部８０についても、第１チューナ部１０と同じ構成である。
受信回路１１は、入力端子１０ａに得られる伝送信号である高周波信号を増幅する増幅回路１１ａと、増幅回路１１ａが増幅した高周波信号の帯域制限を行うフィルタ１１ｂと、フィルタ１１ｂの出力が供給されるミキサ１１ｃを備える。ミキサ１１ｃは、フィルタ１１ｂから供給される高周波信号に、局部発振回路１２から供給される局部発振信号を混合して、ベースバンド信号または中間周波信号に変換する。ミキサ１１ｃが変換したベースバンド信号または中間周波信号は、増幅回路１１ｄを介して復調回路１３に供給される。
【００２１】
局部発振回路１２は、電圧制御発振器１２ａと、この電圧制御発振器１２ａが出力する発振信号を増幅する増幅回路１２ｂと、増幅回路１２ｂが出力する発振信号を分周する分周器１２ｃとを備える。電圧制御発振器１２ａが出力する発振信号の周波数と、分周器１２ｃが分周する分周比は、制御部９１（図１）の制御下で設定される。なお、電圧制御発振器１２ａや分周器１２ｃは、ＰＬＬ（Phase Locked Loop）を形成する回路の一部であり、発振周波数が安定化するフィードバック制御を行っている。なお、ＰＬＬの構成は周知のものであるため、図２ではＰＬＬの構成は省略している。
【００２２】
復調回路１３は、供給されるベースバンド信号または中間周波信号の復調処理を行う。復調回路１３が復調した映像信号や音声信号が、出力端子１０ｂから後段の処理部（図１のテレビジョン信号処理部９５）に供給される。上述したように第１チューナ部１０が復調回路１３を備えるのは１つの例であり、チューナ部が復調回路を備えない構成でもよい。
【００２３】
［２．妨害波のサーチ処理例］
次に、制御部９１の制御で、受信装置の周辺から受信装置に到来する妨害波を探索する処理例を説明する。
図３は、探索を行う際の処理例を示すフローチャートである。この図３に示す妨害波の探索処理は、例えば制御部９１が一定周期ごとに行う。探索処理を行う一定周期は、例えば数時間ごとなどの比較的長い周期とする。
まず制御部９１は、複数用意したチューナ部１０〜８０の内で、テレビジョン放送信号を受信してないチューナ部がいくつあるか確認し、テレビジョン放送信号を受信していない（未使用）のチューナ部があるか否かの判断を行う（ステップＳ１０１）。
【００２４】
ここで、８つのチューナ部１０〜８０が全て受信中で、テレビジョン放送信号を受信していないチューナ部がない場合には、探索処理を行わずに終了する。この場合には、例えばいずれかのチューナ部が未使用状態になるまで待機して、いずれかのチューナ部が未使用状態になったとき、再度、制御部９１が図３のフローチャートの処理を実行する。
【００２５】
そして、ステップＳ１０１で、テレビジョン放送信号を受信していない未使用のチューナ部があると判断したとき、制御部９１は、未使用のチューナ部の中のいずれか１つを選択して、そのチューナ部で、受信可能帯域の全てをサーチする（ステップＳ１０２）。このサーチで、チューナ部１０〜８０での受信時に妨害波となる一定レベル以上の信号が検出されたか否かを制御部９１が判断する（ステップＳ１０３）。
【００２６】
この判断で、妨害波が検出されない場合には、探索処理を終了し、制御部９１は、次の探索タイミングまで待機する。
そして、ステップＳ１０３で、妨害波が検出されたと制御部９１が判断した場合、メモリ９２が、検出した妨害波の周波数のリストを記憶する（ステップＳ１０４）。
なお、過去にメモリ９２が記憶した妨害波の周波数で、ステップＳ１０２で検出されなかった周波数については、ステップＳ１０４での記憶時に、妨害波の周波数のリストから除くように、記憶情報を更新させてもよい。あるいは、妨害波の過去の履歴としてメモリ９２に残しておくようにしてもよい。
【００２７】
［３．選局処理例］
次に、図４のフローチャートを参照して、制御部９１の制御で、各チューナ部１０〜８０で受信を行う場合の選局処理例を説明する。なお、本開示の場合には、受信周波数を探索する際の探索処理として、複数の探索アルゴリズムが予め設定してある。複数の探索アルゴリズムの具体例については後述する。
【００２８】
まず、制御部９１は、いずれかのチャンネルの選局要求があるとき、メモリ９２が記憶した妨害波のリストから妨害波の周波数の情報を取得する（ステップＳ１１１）。
次に、制御部９１は、ステップＳ１１１で取得した妨害波の周波数が、選局要求があるチャンネルを探索する周波数範囲内にあるか否かを判断する（ステップＳ１１２）。ここで、探索する周波数範囲内に妨害波があると判断したとき、制御部９１は、探索アルゴリズムの変更で、妨害波の周波数が、探索する周波数範囲外になるか否かを判断する（ステップＳ１１３）。
【００２９】
ステップＳ１１３で、探索アルゴリズムの変更で、妨害波の周波数が探索周波数範囲外になると判断したとき、制御部９１は、妨害波の周波数を通過しない探索アルゴリズムに変更して、選局要求があるチャンネルの探索を実行する（ステップＳ１１４）。また、ステップＳ１１３で、探索アルゴリズムを変更しても、妨害波の周波数を通過することが避けられない場合には、探索アルゴリズムを変更せずに、そのまま選局要求があるチャンネルの探索を実行する。
【００３０】
［４．探索アルゴリズムの各例］
次に、図４のフローチャートでの選局処理例で説明した、探索アルゴリズムの具体例を、図５〜図１０を参照して説明する。
ここでは、探索アルゴリズム１〜探索アルゴリズム３の３つの探索アルゴリズムについて説明する。この３つの探索アルゴリズムを実行するプログラムは、例えばメモリ９２に記憶される。そして制御部９１が、３つの探索アルゴリズムの中のいずれか１つの探索アルゴリズムを最初に設定し、図４のフローチャートのステップＳ１１４で、別の探索アルゴリズムに変更する処理が行われる。
以下の探索アルゴリズム１〜３の説明では、第１チューナ部１０で受信する場合とする。
【００３１】
＜探索アルゴリズム１＞
図５は、探索アルゴリズム１を示すフローチャートである。図６は、探索アルゴリズム１を実行したときの受信周波数の変化例を示す図である。
探索アルゴリズム１は、探索範囲の下限から線形探索を行うものである。すなわち、図５に示すように、探索アルゴリズム１を実行する際には、制御部９１は、まず、目的とするチャンネルの伝送周波数を探索する際の探索範囲を決め、その探索範囲の下限周波数ｆ１１を、最初に探索する周波数ｆｘに設定する（ステップＳ１１）。そして、その下限周波数ｆ１１を受信するように、制御部９１がチューナ部１０に受信周波数をセットする（ステップＳ１２）。このとき、局部発振回路１２が生成する局部発振信号が、下限周波数ｆ１１に対応した周波数になるように、制御部９１が局部発振回路１２に指示を送る。
【００３２】
そして、制御部９１は、その受信処理で目的とするチャンネルの放送信号が受信できたか否かを判断する（ステップＳ１３）。この判断で、目的とするチャンネルの放送信号が受信できた場合には、その周波数での受信を継続して行い、探索処理を終了する。
【００３３】
ステップＳ１３の判断で、目的とするチャンネルの放送信号が受信できない場合には、制御部９１が、チューナ部１０で探索する周波数ｆｘを、現在の探索周波数ｆ１１から１ステップ上の周波数ｆ１２にシフトさせる（ステップＳ１４）。そして、その探索周波数ｆ１２を受信するように、制御部９１がチューナ部１０に受信周波数をセットする（ステップＳ１２）。
以下、チューナ部１０で目的とするチャンネルの放送信号が受信できるまで、制御部９１は、ステップＳ１２，Ｓ１３，Ｓ１４の処理を繰り返し実行する。なお、図５のステップＳ１４は、周波数ｆ１１から周波数ｆ１２への探索周波数の変化を示すが、このステップＳ１４は処理が繰り返されるごとに、設定される周波数がｆ１２，ｆ１３，・・・と１ステップずつ上に変化していく。
【００３４】
図６は、この探索アルゴリズム１を制御部９１が実行したときの、チューナ部１０での受信周波数の変化例である。図６に示すように、チューナ部１０の受信周波数が、最初に探索範囲の下限周波数ｆ１１になり、その後、１ステップ上の周波数ｆ１２になり、以下、同じ周波数間隔で徐々に高くなる。そして、制御部９１は、受信周波数ｆａで目的とするチャンネルの放送信号がチューナ部１０で受信できたとき、チューナ部１０の受信周波数を周波数ｆａに固定して、探索処理を終了する。
【００３５】
＜探索アルゴリズム２＞
図７は、探索アルゴリズム２を示すフローチャートである。図８は、探索アルゴリズム２を実行したときの受信周波数の変化例を示す図である。
探索アルゴリズム２は、探索範囲の上限から線形探索を行うものである。すなわち、図７に示すように、探索アルゴリズム２を実行する際には、制御部９１は、まず、目的とするチャンネルの伝送周波数を探索する際の探索範囲を決め、その探索範囲の上限周波数ｆ２１を、最初に探索する周波数ｆｘに設定する（ステップＳ２１）。そして、その上限周波数ｆ２１を受信するように、制御部９１がチューナ部１０に受信周波数をセットする（ステップＳ２２）。このときには、局部発振回路１２が生成する局部発振信号が、上限周波数ｆ２１に対応した周波数になるように、制御部９１が局部発振回路１２に指示を送る。
【００３６】
そして、制御部９１は、その受信処理で目的とするチャンネルの放送信号が受信できたか否かを判断する（ステップＳ２３）。この判断で、目的とするチャンネルの放送信号が受信できた場合には、その周波数での受信を継続して行い、探索処理を終了する。
【００３７】
ステップＳ２３の判断で、目的とするチャンネルの放送信号が受信できない場合には、制御部９１が、チューナ部１０で探索する周波数ｆｘを、現在の探索周波数ｆ２１から１ステップ下の周波数ｆ２２にシフトさせる（ステップＳ２４）。そして、その探索周波数ｆ２２を受信するように、制御部９１がチューナ部１０に受信周波数をセットする（ステップＳ２２）。
以下、チューナ部１０で目的とするチャンネルの放送信号が受信できるまで、制御部９１は、ステップＳ２２，Ｓ２３，Ｓ２４の処理を繰り返し実行する。なお、図７のステップＳ２４は、周波数ｆ２１から周波数ｆ２２への探索周波数の変化を示すが、このステップＳ２４は処理が繰り返されるごとに、設定される周波数がｆ２２，ｆ２３，・・・と１ステップずつ下に変化していく。
【００３８】
図８は、この探索アルゴリズム２を制御部９１が実行したときの、チューナ部１０での受信周波数の変化例である。図８に示すように、チューナ部１０の受信周波数が、最初に探索範囲の上限周波数ｆ２１になり、その後、１ステップ下の周波数ｆ２２になり、以下、同じ周波数間隔で徐々に低くなる。そして、制御部９１は、受信周波数ｆａで目的とするチャンネルの放送信号がチューナ部１０で受信できたとき、チューナ部１０の受信周波数を周波数ｆａに固定して、探索処理を終了する。
【００３９】
＜探索アルゴリズム３＞
図９は、探索アルゴリズム３を示すフローチャートである。図１０は、探索アルゴリズム２を実行したときの受信周波数の変化例を示す図である。
探索アルゴリズム３は、探索範囲のほぼ中央から二分探索（バイナリサーチ）を行うものである。すなわち、図９に示すように、探索アルゴリズム３を実行する際には、制御部９１は、まず、目的とするチャンネルの伝送周波数を探索する際の探索範囲を決める。そして、その探索範囲の上限周波数と下限周波数との中央の周波数ｆ３１を、最初に探索する周波数ｆｘに設定する（ステップＳ３１）。探索範囲の中央の周波数ｆ３１は、（上限周波数Ａｘ−下限周波数Ｂｘ）÷２で算出される。
【００４０】
そして、その上限周波数ｆ３１を受信するように、制御部９１がチューナ部１０に受信周波数をセットする（ステップＳ３２）。このときには、局部発振回路１２が生成する局部発振信号が、上限周波数ｆ３１に対応した周波数になるように、制御部９１が局部発振回路１２に指示を送る。
【００４１】
そして、制御部９１は、その受信処理で目的とするチャンネルの放送信号が受信できたか否かを判断する（ステップＳ３３）。この判断で、目的とするチャンネルの放送信号が受信できた場合には、その周波数での受信を継続して行い、探索処理を終了する。
【００４２】
ステップＳ３３の判断で、目的とするチャンネルの放送信号が受信できない場合、制御部９１は、探索する周波数ｆａが、現在の探索周波数ｆ３１の上側と下側のいずれである可能性が高いかの判断を行う（ステップＳ３４）。この判断で、上側と判断したとき、制御部９１は、次に探索する周波数ｆ３２を、現在の探索周波数ｆ３１と上限周波数Ａｘとの中央に設定する（ステップＳ３５）。このときの探索周波数ｆ３２は、（上限周波数Ａｘ−探索周波数ｆ３１）÷２で算出される。
【００４３】
また、ステップＳ３４の判断で、下側と判断したとき、制御部９１は、次に探索する周波数ｆ３２を、現在の探索周波数ｆ３１と下限周波数Ｂｘとの中央に設定する（ステップＳ３６）。このときの探索周波数ｆ３２は、（探索周波数ｆ３１−下限周波数Ｂｘ）÷２で算出される。
【００４４】
そして、ステップＳ３２に戻り、ステップＳ３５またはステップＳ３６で設定した受信周波数ｆ３２を受信するように、制御部９１がチューナ部１０に受信周波数をセットする。
以下、チューナ部１０で目的とするチャンネルの放送信号が受信できるまで、制御部９１は、ステップＳ３２〜Ｓ３６の処理を繰り返し実行し、徐々に目的とする受信周波数に近づける制御を行う。なお、図７のステップＳ３５，Ｓ３６は、周波数ｆ３１から周波数ｆ３２への探索周波数の変化を示すが、このステップＳ３５，Ｓ３６は処理が繰り返されるごとに、設定される周波数がｆ３２，ｆ３３，・・・と順に目的とする周波数に近づくように変化していく。
【００４５】
図１０は、この探索アルゴリズム３を制御部９１が実行したときの、チューナ部１０での受信周波数の変化例である。この図１０の例は、チューナ部１０の受信周波数が、最初に探索範囲の中央の周波数ｆ３１になった後、ステップＳ３４で、探索周波数ｆａが中央より上側であると判断された例である。この例では、受信周波数がｆ３１，ｆ３２，ｆ３３と変化して、チャンネルの放送信号が伝送される周波数ｆａに近づいていき、最終的に周波数ｆａとなり、探索処理を終了する。
【００４６】
なお、ここまで説明した３つの探索アルゴリズム以外の探索アルゴリズムを用意して、選局時に制御部９１が探索を試みるようにしてもよい。
【００４７】
以上説明したように、本開示の例によると、複数用意した受信回路の内の１つの受信回路が伝送信号の受信をしていない状況のとき、その使用していない受信回路で、妨害波の探索を行うようにした。このため、妨害波探索専用の回路を必要としない簡単な構成で、周囲の妨害波の探索を行うことができる。そして、選局時に探索する周波数範囲内に妨害波の周波数が存在するときには、制御部９１は、探索アルゴリズムの変更を試みるため、その探索アルゴリズムの変更で妨害波がある周波数を通過せずに良好に選局できる可能性が生じる。したがって、本開示の受信装置によると、探索した妨害波を避ける選局処理が可能なり、妨害波の影響を極力避けた良好な受信ができるようになる。
【００４８】
［５．変形例］
図１に示すチューナ部の配置数は一例を示すものであり、その他の数のチューナ部を配置してもよい。また、図５〜図１０で説明した探索アルゴリズムの例についても好適な例を示したものであり、その他の探索アルゴリズムを用意して、探索アルゴリズムを選択する際の候補としてもよい。
【００４９】
また、図３のフローチャートで説明した妨害波の探索処理例では、制御部９１は、数時間ごとなどの比較的長い周期で妨害波の探索を行うようにした。これに対して、未使用チューナ部がある場合には、随時妨害波の探索を行うようにしてもよい。また、過去の妨害波の発生状況に応じて、妨害波の探索を行う周期を可変設定してもよい。例えば、メモリ９２に妨害波の周波数の記憶がある場合には、その周波数の妨害波が継続的に発生しているか否かを、制御部９１の制御で未使用のチューナ部が探索するようにしてもよい。
また、受信装置が例えば移動体に搭載された場合のように、妨害波の状況が絶えず変化する場合には、未使用のチューナ部を使用して連続的に妨害波を探索するようにしてもよい。
【００５０】
また、図１に示す例では、それぞれのチューナ部１０〜８０は、１個のアンテナ９４で受信した信号が供給されるチューナ部とした。これに対して、例えばそれぞれのチューナ部が、地上波放送信号を受信するチューナと、衛星放送信号を受信するチューナの双方を兼ねるようにして、複数のアンテナが接続されるようにしてもよい。あるいは、複数のチューナ部の内の第１の群のチューナ部が地上波放送信号を受信するチューナ部になり、第２の群のチューナ部が衛星放送信号を受信するチューナ部になるようにしてもよい。
【００５１】
また、図１に示す例では、テレビジョン放送信号を受信するチューナ部の制御に適用した。これに対して、その他の無線伝送信号や有線伝送信号を受信する複数のチューナ部を備えた各種受信装置に、本開示の処理を適用するようにしてもよい。
【００５２】
なお、本開示は以下のような構成も取ることができる。
（１）
伝送信号を受信する複数の受信回路と、
前記複数の受信回路のそれぞれに局部発振信号を供給する複数の局部発振回路と、
前記複数の受信回路での選局を制御すると共に、前記複数の受信回路の内の少なくとも１つの受信回路が前記伝送信号の受信に使用していない場合に、その使用していない受信回路で、妨害波の探索を行う制御部とを備えた
受信装置。
（２）
前記制御部が探索した妨害波の周波数を記憶し、前記制御部が、いずれかの受信回路で伝送信号の探索を行う際に、前記妨害波の周波数を通過しない選局を行う
前記（１）記載の受信装置。
（３）
前記制御部は、選局時の探索アルゴリズムを変更して、前記妨害波の周波数を通過しない選局を行う
前記（２）記載の受信装置。
（４）
前記制御部は、周期的に前記妨害波の探索を行う
前記（１）〜（３）のいずれか１項に記載の受信装置。
（５）
伝送信号を受信する複数の受信回路と、
前記複数の受信回路のそれぞれに局部発振信号を供給する複数の局部発振回路と、
前記複数の受信回路での選局を制御すると共に、前記複数の受信回路の内の少なくとも１つの受信回路が前記伝送信号の受信に使用していない場合に、その使用していない受信回路で、妨害波の探索を行う制御部と、
前記複数の受信回路で受信した信号を処理する処理部とを備えた
電子機器。
【００５３】
さらに、本発明の請求項に記載した構成や処理は、上述した実施の形態の例に限定されるものではない。本発明の要旨を逸脱しない限り、種々の改変、組み合わせ、他の実施の形態例が生じうることは、当業者にとって当然のことと理解される。
【符号の説明】
【００５４】
１０〜８０…チューナ部、１１〜８１…受信回路、１２〜８２…局部発振回路、１１ｃ…ミキサ、１２ａ…電圧制御発振器、１２ｃ…分周器、１３〜８３…復調回路、９１…制御部、９２…メモリ、９３…操作部、９４…アンテナ、９５…テレビジョン信号処理部、９６…録画部、９７…表示部、９９…バスライン
【図１】
2014179847.tif 000003
【図２】
2014179847.tif 000004
【図３】
2014179847.tif 000005
【図４】
2014179847.tif 000006
【図５】
2014179847.tif 000007
【図６】
2014179847.tif 000008
【図７】
2014179847.tif 000009
【図８】
2014179847.tif 000010
【図９】
2014179847.tif 000011
【図１０】
2014179847.tif 000012
【図１１】
2014179847.tif 000013